(57)【特許請求の範囲】
【請求項１】
一の電気製品を支持可能な支柱とベースとをＬ字状に組み合わせて成るＬ字スタンドであって、
前記支柱に設けられる一の取付具と、他の電気製品の背面に取り付け可能な他の取付具とを備え、
前記一の取付具と前記他の取付具とは、第一位置と第二位置とにおいて、相互に係合可能であり、
組立時には、前記一の取付具と前記他の取付具とを、前記第一位置で係合させることにより、前記他の電気製品を前記支柱に固定可能であり、
前記一の電気製品と前記他の電気製品との配線時には、前記一の取付具と前記他の取付具とを、前記第二位置で係合させることにより、前記他の電気製品の背面を上方に向けた状態で固定可能であり、
前記一の取付具または前記他の取付具のいずれか一方はフックを備え、いずれか他方は前記フックを係合可能な孔を備えていることを特徴とする、Ｌ字スタンド。
【請求項２】
前記支柱の少なくとも前面と左右側面とを覆うフロントカバーをさらに備え、
前記フロントカバーには少なくとも前記一の取付具を露出させることが可能な配線用孔が開口されていることを特徴とする、請求項１に記載のＬ字スタンド。
【請求項３】
前記ベースには少なくとも前記ベースの上面、前面、左右側面を覆うベースカバーが着脱自在に設けられ、
前記ベースカバーの側面には、配線用孔が開口していることを特徴とする、請求項１に記載のＬ字スタンド。
【請求項４】
前記ベースカバーは、前記ベースに対して前後に摺動自在に設けられていることを特徴とする、請求項３に記載のＬ字スタンド。
【請求項５】
さらに、前記支柱の少なくとも前面と左右側面とを覆い、組立時に前記ベースカバーと接するフロントカバーが設けられ、
前記ベースカバーと前記フロントカバーとの接部において、前記ベースカバーの上面または前記フロントカバーの前面の少なくともいずれか一方に配線用孔が開口していることを特徴とする、請求項３に記載のＬ字スタンド。
【請求項６】
前記Ｌ字スタンドは、前記支柱と前記ベースとを背面に張り出し部が形成されないようにＬ字状に組み合わせて成り、
設置位置に応じて、前記支柱の下端部において前記支柱の後方に張り出し可能な脚部が設けられていることを特徴とする、請求項１に記載のＬ字スタンド。
【請求項７】
前記脚部は着脱自在であることを特徴とする、請求項６に記載のＬ字スタンド。
【請求項８】
前記Ｌ字スタンドは、前記支柱と前記ベースとを前記支柱と前記ベースとを連結する連結具によりＬ字状に組み合わせて成り、
前記連結具は、前記支柱と連結される垂直部と前記ベースと連結される水平部とが一体成型されて成ることを特徴とする、請求項１に記載のＬ字スタンド。
【発明の詳細な説明】
【技術分野】
【０００１】
本発明は、Ｌ字スタンドに関する。
【背景技術】
【０００２】
近年、例えば液晶表示装置や有機電界発光表示装置などの平板表示装置の登場に伴い、大画面の映像及び高音質なサウンドにより映像及びサウンドを楽しむホームシアターシステムが開発されている。このホームシアターシステムは、例えば、大型の平板表示装置と、５．１ｃｈ、７．１ｃｈサラウンドシステム用の複数のスピーカを有し、装置が大型化している。大型な装置は、配置空間中をしめる割合も大きく、配置空間の雰囲気を左右するため、その配置位置が重要となる。
【０００３】
そこで、これらの装置の配置位置や配置空間の雰囲気への影響を改善するために、従来から、引用文献１に記載された装置を壁に固定して配置する電気製品取付具や、引用文献２に記載された複数の電気製品を支持することができるスタンドが開発されている。
【０００４】
【特許文献１】特開２００７−１０８５２８号公報
【特許文献２】特開２００７−２７８７３号公報
【発明の開示】
【発明が解決しようとする課題】
【０００５】
しかしながら、引用文献１に記載の電気製品取付具によれば、壁に固定されるため取付の工事が必要であり、かつ、一旦配置すると移動させることが困難であった。また、電気製品の配線コネクタ等が壁側に近接して、配線を変更することも困難であった。そもそも、壁に固定する電気製品取付具では配置の自由度が低下してしまっていた。
【０００６】
一方、引用文献２に記載のスタンドによれば、配置位置の自由度は増すものの、スタンドが自立する為には、スタンド底面の前後方向に一定の面積が必要である。よって、その面積やスタンド全体の大きさが目立ち、かつ、支持する電気製品を壁に寄せることもできないという制約があり、配置空間の雰囲気を害する場合があった。また、このスタンドでは、複数の電気製品を支持できるが、電気製品のコネクタは、後方や下方に向けて配置されている場合が多いため、スタンドの裏に回り込んだり、スタンド自信を移動させて配線を行う必要があった。
【０００７】
このように、電気製品を配置する従来の方法では、配置空間の雰囲気を害す場合があり、また、配置時や配置後における配線や移動などのメンテナンス性に更なる改善の余地があった。
【０００８】
そこで、本発明は、上記問題に鑑みてなされたものであり、本発明の目的とするところは、配置空間と調和させつつ電気製品を配置し、かつ、その電気製品のメンテナンス性を向上させることにある。
【課題を解決するための手段】
【０００９】
上記課題を解決するために、本発明のある観点によれば、一の電気製品を支持可能な支柱とベースとをＬ字状に組み合わせて成るＬ字スタンドであって、前記支柱に設けられる一の取付具と、他の電気製品の背面に取り付け可能な他の取付具とを備え、前記一の取付具と前記他の取付具とは、第一位置と第二位置とにおいて、相互に係合可能であり、組立時には、前記一の取付具と前記他の取付具とを、前記第一位置で係合させることにより、前記他の電気製品を前記支柱に固定可能であり、前記一の電気製品と前記他の電気製品との配線時には、前記一の取付具と前記他の取付具とを、前記第二位置で係合させることにより、前記他の電気製品の背面を上方に向けた状態で固定可能であり、前記一の取付具または前記他の取付具のいずれか一方はフックを備え、いずれか他方は前記フックを係合可能な孔を備えていることを特徴とする、Ｌ字スタンドが提供される。
【００１０】
この構成によれば、一の取付具と他の取付具とにより、組立時には他の電気製品を支柱に固定することができ、配線時には他の電気製品の背面を上方に向けた状態で支柱に固定することができる。よって、他の電気製品の背面及び下面へのアクセスが容易になる。
【００１２】
また、支柱の少なくとも前面と左右側面を覆うフロントカバーをさらに備え、フロントカバーには少なくとも一の取付具を露出させることが可能な配線用孔が開口されてもよい。
【００１３】
また、ベースには少なくともベースの上面、前面、左右側面を覆うベースカバーが着脱自在に設けられてもよく、ベースカバーの側面には、配線用孔が開口していてもよい。
【００１４】
この構成によれば、ベースカバーによりベースを覆うことができる。また、ベースカバーの側面に設けられた配線用孔により、ベースカバー内部を通過する配線をベースカバーの側方へと導いたり、ベースカバー側方を通過する配線をベースカバー内部に導くことが可能となる。よって、配線を取りまとめることができる。
【００１５】
また、ベースカバーは、ベースに対して前後に摺動自在に設けられてもよい。
【００１６】
また、さらに、支柱の少なくとも前面と左右側面を覆い、組立時にベースカバーと接するフロントカバーが設けられ、ベースカバーとフロントカバーの接部において、ベースカバーの上面またはフロントカバーの前面の少なくともいずれか一方に配線用孔が開口してもよい。
【００１７】
また、Ｌ字スタンドは、支柱とベースとを背面に張り出し部が形成されないようにＬ字状に組み合わせて成ってもよく、設置位置に応じて、支柱の下端部において支柱の後方に張り出し可能な脚部が設けられていてもよい。
【００１８】
この構成によれば、脚部により、Ｌ字スタンドが後方に転倒することを防ぐことができるので、Ｌ字スタンドの背面へのアクセスが容易になる。また、ベース等が張り出し部を有さないので、Ｌ字スタンドを壁面に寄せて配置することも可能である。
【００１９】
また、脚部は着脱自在であってもよい。
【００２０】
また、Ｌ字スタンドは、支柱とベースとを支柱とベースとを連結する連結具によりＬ字状に組み合わせて成ってもよく、連結具は、支柱と連結される垂直部とベースと連結される水平部とが一体成型されて成ってもよい。
【００２１】
この構成によれば、連結具の垂直部と水平部とが一体成型されるので、支柱とベースとの強度を高めることができる。
【発明の効果】
【００２２】
以上説明したように本発明によれば、配置空間と調和させつつ電気製品を配置し、かつ、その電気製品のメンテナンス性を向上させることができる。
【発明を実施するための最良の形態】
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２４】
図１は、本発明の第１実施形態に係るＬ字スタンドを説明するための説明図である。図１に示すように、本実施形態に係るＬ字スタンド１は、複数の電気製品を支持することができる。
【００２５】
尚、以下では説明の便宜上、Ｌ字スタンド１が、一の電気製品として例えば液晶表示装置・有機電界発光表示装置などの平板表示装置２を支持し、更に他の電気製品としてスピーカシステム３を支持する場合について説明する。そして、平板表示装置２と、スピーカシステム３とがホームシアターシステムを構成する。但し、本実施形態に係るＬ字スタンド１が支持可能な電気製品は、この例に限定されるものではなく、例えばビデオデッキ・ＨＤＤレコーダ・アンプ・チューナ等の様々な電気製品を支持しうる。また、支持可能な電気製品の台数も２台に限定されるものではない。
【００２６】
Ｌ字スタンド１は、ベース部１１と、支柱部１２とにより構成される。ベース部１１は、床面に載置され、支持した電気製品及びＬ字スタンド１自信の荷重を床面に伝達する。支柱部１２は、支持した電気製品の荷重をベース部１１に伝達する。このベース部１１と、支柱部１２とは、横方向（ｙ軸方向）から見た場合、略Ｌ字状に連結される。
【００２７】
尚、以下では、ｘ軸正の方向、つまりＬ字スタンド１が支持したホームシアターシステムにユーザが対面した場合のユーザが位置する方向を、『前方』や『正面』ともいう。また、ｘ軸負の方向、つまり、ホームシアターシステムの後面（背面）の方向を、『後方』や『背面』ともいう。さらに、ホームシアターシステムのｙ軸方向の両側の方向、つまり側方を、『横方向』や『左右方向』ともいい、ｙ軸正の方向を『右』、ｙ軸負の方向を『左』ともいう。つまり、右方向及び左方向のそれぞれは、ユーザがホームシアターシステムに対面したときに、ユーザにとっての右及び左に対応する。
【００２８】
図２は、本実施形態に係るＬ字スタンドを背面から見て説明するための説明図である。図２に示すように、支柱部１２は、２本の支柱１２１Ｌ、１２１Ｒと、フロントカバー１２１Ｆと、脚部１２２Ｌ、１２２Ｒと、を有する。
【００２９】
２本の支柱１２１Ｌ、１２１Ｒは、電気製品を支える主構造を形成し、この２本の支柱１２１Ｌ、１２１Ｒを介して電気製品の荷重が、ベース部１１に伝達される。尚、この支柱の個数は、２本である必要はなく、１本、３本、４本又はそれ以上であってもよい。
【００３０】
フロントカバー１２１Ｆは、支柱１２１Ｌ、１２１Ｒの前方において、支柱１２１Ｌ、１２１Ｒの少なくとも前面と左右側面を覆うように配置される。このフロントカバー１２１Ｆは、支柱１２１Ｌ、１２１Ｒを保護すると共に配線や支柱１２１Ｌ、１２１Ｒが露出するのを防ぐ化粧板の役割を果たす。
【００３１】
脚部１２２Ｌ、１２２Ｒは、それぞれ支柱１２１Ｌ、１２１Ｒの後方に張り出して配置される。また、この支柱１２１Ｌ、１２１Ｒの前方にはベース部１１が結合されているので、ベース部１１がＬ字スタンド１が前方に転倒するのを防ぐのに対して、脚部１２２Ｌ、１２２ＲはＬ字スタンド１が後方に転倒するのを防ぐ。また、この脚部１２２Ｌ、１２２Ｒは、従来のスタンドと異なり着脱自在に配置され、Ｌ字スタンド１は、脚部１２２Ｌ、１２２Ｒを取り外すことにより、壁に寄せて配置することが可能である。この脚部１２２Ｌ、１２２Ｒについては詳しく後述する。
【００３２】
また、図２に示すように、Ｌ字スタンド１の上方の、支柱１２１Ｌと支柱１２１Ｒとの間には、梁１２３Ａ、１２３Ｂが配置される。
【００３３】
梁１２３Ａ、１２３Ｂは、Ｌ字スタンド１の上方において、それぞれ一端を支柱１２１Ｌに接続され他端を支柱１２１Ｒに接続されて、Ｌ字スタンド１の強度を補強する。また、梁１２３Ａ、１２３Ｂには平板表示装置２の背面が接続される。よって、梁１２３Ａ、１２３Ｂは平板表示装置２を支持する。
【００３４】
平板表示装置２の下方には、スピーカシステム３が支持される。この支持機構について説明する。図３は、本実施形態に係るＬ字スタンドのスピーカシステム支持機構を説明するための説明図である。
【００３５】
この支持機構は、図３に示すように２種類の取付具１２４Ｌ、１２４Ｒ及び取付具１２５Ｌ、１２５Ｒと、図２に示す螺子１２９Ｌ、１２９Ｒとを有する。
【００３６】
取付具１２４Ｌ、１２４Ｒは、スピーカシステム３の背面に取り付けられ、取付具１２５Ｌ、１２５Ｒは、それぞれ支柱部１２の前面において支柱１２１Ｌ、支柱１２１Ｒに取り付けられる。また、フロントカバー１２１Ｆには配線用の配線用孔１２６が形成されており、取付具１２５Ｌ、１２５Ｒは、この配線用孔１２６を介して前方に露出している。そして、取付具１２４Ｌ、１２４Ｒが、それぞれ取付具１２５Ｌ、１２９Ｒと係合し、螺子１２９Ｌ、１２９Ｒが、それぞれ取付具１２４Ｌ、１２４Ｒと取付具１２５Ｌ、１２５Ｒとに形成された孔に挿入されて、スピーカシステム３が支持されて固定される。この際、スピーカシステム３の正面は、Ｌ字スタンド１の正面、つまりユーザの方向に向かって固定される。
【００３７】
この取付具１２４Ｌ、１２４Ｒ及び取付具１２５Ｌ、１２５Ｒについて説明する。尚、取付具１２４Ｒ及び取付具１２５Ｒは、それぞれ取付具１２４Ｌ及び取付具１２５Ｌと左右対称に形成されるため、取付具１２４Ｌ及び取付具１２５Ｌについて説明する。図４は、本実施形態に係るスピーカシステム支持機構の支柱側の取付具を説明するための説明図である。また、図４の（Ａ）、（Ｂ）、（Ｃ）は、それぞれ支柱１２１Ｌに接続される取付具１２５Ｌの正面図、側面図、上面図である。
【００３８】
図４に示すように、取付具１２５Ｌ（一の取付具）の背面方向（支柱１２１Ｌ方向）には、フック１２５１と支持板１２５２が形成される。
【００３９】
フック１２５１は、先端が下方に向かったＬ字状に形成され、支柱１２１Ｌの前面に形成された孔（図示せず）に係合する。支持板１２５２は、支柱１２１Ｌの前面と接し、支持板１２５２の孔１２５３と支柱１２１Ｌの前面の孔（図示せず）との間で螺子止めさせる。従って、取付具１２４Ｌが支持するスピーカシステム３の荷重は、フック１２５１と支持板１２５２に挿入される螺子（図示せず）とにより支柱１２１Ｌに伝達される。
【００４０】
一方、図４に示すように、取付具１２５Ｌの前面方向（スピーカシステム３方向）には、フック１２５４と案内板１２５５が形成される。
【００４１】
フック１２５４は、先端が上方に向かったＬ字状に形成され、後述する取付具１２５Ｌに形成された孔と係合する。案内板１２５５は、取付具１２５Ｌの左右サイドから前方に向けて延長形成され、かつ、左右サイドの案内板１２５５同士の間隔が、前方に行くに従い拡大されている。また、この案内板１２５５には、左右方向に貫通する孔１２５６が形成されている。
【００４２】
図５は、本実施形態に係るスピーカシステム支持機構のスピーカシステム側の取付具を説明するための説明図である。図５の（Ａ）、（Ｂ）、（Ｃ）は、それぞれスピーカシステム３に接続される取付具１２４Ｌの背面図、側面図、下面図である。
【００４３】
図５に示すように、取付具１２４Ｌ（他の取付具）の前面方向（スピーカシステム３方向）には、支持板１２４１が形成され、この支持板１２４１には、前後方向に複数の貫通孔１２４２が形成される。
【００４４】
支持板１２４１は、スピーカシステム３の背面に接して、スピーカシステム３に形成された孔（図示せず）と貫通孔１２４２とを螺子止めされて、スピーカシステム３の背面に固定される。つまり、取付具１２４Ｌは、図３に示すように、支持板１２４１を介してスピーカシステム３の背面に固定される。
【００４５】
また、図５の（Ｃ）に示すように、この支持板１２４１の左右方向の一端には、連結板１２４３が背面方向（支柱１２１Ｌ方向）に突出して延長形成される。そして、連結板１２４３の背面方向の端部には、支持板１２４１と平行に延長形成された支持板１２４４が形成される。
【００４６】
連結板１２４３は、互いに平行に配置された支持板１２４１と支持板１２４４とを連結する。また、図５の（Ｂ）に示すように、連結板１２４３には左右方向に貫通した複数の孔１２４５が形成される。この複数の孔１２４５は、取付具１２４Ｌと取付具１２５Ｌとが係合した状態で、図４に示す取付具１２５Ｌの孔１２５６を介して図２に示す螺子１２９Ｌが挿入される。その結果、取付具１２４Ｌと取付具１２５Ｌとの係合状態が固定される。
【００４７】
支持板１２４４には、図４に示すフック１２５４の幅に対応した幅を有し、前後方向に貫通した複数の孔Ａ１〜Ａ５、Ｂが、上下に並んで形成される。この取付具１２４Ｌの孔Ａ１〜Ａ５、Ｂには、取付具１２５Ｌのフック１２５４が挿入され、両者が係合することにより、スピーカシステム３が支柱１２１Ｌに固定される。
【００４８】
孔Ａ１〜Ａ５のいずれかの孔にフック１２５４を係合させることにより、図１及び図２に示すように、スピーカシステム３の前面を、Ｌ字スタンド１の前面方向に向けて配置して固定することができる。このスピーカシステム３の配置位置を、ここでは第一位置という。つまり、この第一位置は、ホームシアターシステムを使用可能なようにスピーカシステム３をセットした状態のセット位置である。また、フック１２５４を係合させる孔を、孔Ａ１〜Ａ５のいずれかから選択することにより、スピーカシステム３の高さを調整することができる。
【００４９】
一方、スピーカシステム３の背面が上方に向くようにスピーカシステム３を前方に倒し、孔Ｂにフック１２５４を係合させることにより、図６に示すように、スピーカシステム３の背面を、Ｌ字スタンド１の上方に向けて配置して固定することができる。このスピーカシステム３の配置位置を、ここでは第二位置という。この第二位置にスピーカシステム３をセットすることにより、メンテナンス時のスピーカシステム３の背面や下面へのアクセスが容易になる。換言すれば、この第二位置は、メンテナンス位置である。
【００５０】
つまり、例えば、スピーカシステム３を載置する際やメンテナンスをする際に、ユーザは、一旦孔Ｂをフック１２５４に係合させて、スピーカシステム３を図６に示す第二位置に固定することができる。よって、このＬ字スタンド１によれば、スピーカシステム３の背面や下面へのアクセスが容易になり、配線や調整を容易に行うことができ、メンテナンス性が向上する。
【００５１】
そして、配線等を行った後、ユーザは、孔Ｂとフック１２５４との係合を解き、スピーカシステム３の前面を正面に向けて、孔Ａ１〜Ａ５のいずれかにフック１２５４を係合させることにより、スピーカシステム３を第一位置に固定することができる。また、この際、取付具１２４Ｌには、図４に示した案内板１２５５が形成されており、この案内板１２５５が取付具１２４Ｌの支持板１２４４を取付具１２５Ｌへと誘導するので、孔Ａ１〜Ａ５と、フック１２５４との左右方向の位置あわせを容易に行うことができる。
【００５２】
また、このＬ字スタンド１は、メンテナンス性を向上させる構成を、更にベース部１１とフロントカバー１２１Ｆにも有する。よって次に、ベース部１１とフロントカバー１２１Ｆについて説明する。図７は、本実施形態に係るベース部とフロントカバーとについて説明するための説明図である。
【００５３】
図７に示すように、ベース部１１は、ベース１１１とベースカバー１１２とを有する。ベースカバー１１２は、ベース１１１の少なくとも上面、前面及び左右側面を覆い、ベース１１１を保護すると共に、ベース１１１及び配線等が外部に露出することを防ぐ化粧板の役割を果たす。そして、ベースカバー１１２上には、例えばビデオデッキやＨＤＤレコーダ、ゲーム機器などの他の電気製品を載置することができる。また、ベースカバー１１２は、下方及び後方が開放しており、この開放された空間に後方よりベース１１１が挿入可能に形成される。換言すれば、ベースカバー１１２は、前後方向に摺動自在に設けられる。
【００５４】
また、ベースカバー１１２のフロントカバー１２１Ｆ側の端部の上面には、配線用孔１１２Ａが形成され、左右面には、配線用孔１１２Ｂが形成される。更に、フロントカバー１２１Ｆの前面下端において、組立時にベースカバー１１２と接する位置にも、配線用孔１２７が形成される。
【００５５】
従って、図２及び図７に示すように、平板表示装置２の電源コードやチューナコードのような配線は、フロントカバー１２１Ｆの後方において下方へと導かれ、配線用孔１２７を介して前方に導かれる。そして、配線用孔１２７から前方へと導かれた配線は、図７に示すように、ベースカバー１１２の内部を通り配線用孔１１２Ｂより側方へと導かれる。また、同様にスピーカシステム３からの配線は、図２に示すようにフロントカバー１２１Ｆの配線用孔１２６からフロントカバー１２１Ｆの後方へと導かれ、平板表示装置２などに接続することができる。従って、Ｌ字スタンド１を通過する配線が外部に露出することを防ぐことができる。
【００５６】
また、支柱１２１Ｌ、１２１Ｒには、配線を束ねることができるコード固定部材１２８が配置されており、フロントカバー１２１Ｆの後方を通過する配線を整理して配置することができる。
【００５７】
更に、図８に示すように、平板表示装置２やスピーカシステム３からの配線は、フロントカバー１２１Ｆの後方を通過した後、配線用孔１２７を介して前方へと導かれ、更に、ベースカバー１１２の下方及び配線用孔１１２Ａを介してベースカバー１１２の上方へと導くことができる。従って、ベースカバー１１２の上に載置された他の電気製品と、平板表示装置２又はスピーカシステム３との間の配線が、Ｌ字スタンド１を通過する間に外部に露出することを防ぐことができる。
【００５８】
このように、Ｌ字スタンド１は、ベースカバー１１２及びフロントカバー１２１Ｆにより配線等を覆うことができるので、配置空間と調和することが可能となる。また、ベースカバー１１２及びフロントカバー１２１Ｆに形成された配線用孔１１２Ａ、１１２Ｂ、１２６、１２７を有することにより、Ｌ字スタンド１は、配線が外部に露出することを防ぐことができ、配置空間と更に調和することが可能となる。また、配線用孔１１２Ａ、１１２Ｂ、１２６、１２７やコード固定部材１２８により配線を分岐させたり整理することができるので、メンテナンス性を向上させることができる。
【００５９】
また、このＬ字スタンド１は、図２に示したように、脚部１２２Ｌ、１２２Ｒを有し、前方に配置されたベース部１１と、後方に配置された脚部１２２Ｌ、１２２Ｒとにより、Ｌ字スタンド１の荷重を床面へと伝達し、かつ、転倒を防止する。しかしながら、このＬ字スタンド１は、図９に示すように、脚部１２２Ｌ、１２２Ｒを着脱することができる。つまり、脚部１２２Ｌ、１２２Ｒは、それぞれ支柱１２１Ｌ、１２１Ｒに螺子１２２１により固定されており、この螺子１２２１を外すことにより、脚部１２２Ｌ、１２２Ｒを取り除くことができる。
【００６０】
この脚部１２２Ｌ、１２２Ｒの構造を、図１０に示す。尚、図１０の（Ａ）、（Ｂ）、（Ｃ）には、それぞれ脚部１２２Ｒの側面図、前面図、上面図を示す。脚部１２２Ｌは、脚部１２２Ｒと左右対称に形成されるため、ここでの説明は省略する。
【００６１】
脚部１２２Ｒは、前方に接続板１２２２を有し、この接続板１２２２には、前後方向に貫通した孔１２２３が形成される。そして、接続板１２２２が支柱１２１Ｒの下方の背面に接した状態で、孔１２２３と支柱１２１Ｒに形成された孔とに螺子１２２１が挿入されることにより、脚部１２２Ｒは支柱１２１Ｒに固定される。
【００６２】
また、脚部１２２Ｒは、下面に支持板１２２４を有し、この支持板１２２４と接続板１２２２との間に連結板１２２５を有する。従って、接続板１２２２に伝達されたＬ字スタンド１の荷重が連結板１２２５、支持板１２２４を介して床面へと伝達するので、Ｌ字スタンド１は転倒しないように支持される。
【００６３】
この脚部１２２Ｒは、螺子１２２１を挿入したり取り外すだけで、着脱させることができる。また、Ｌ字スタンド１は、脚部１２２Ｌ、１２２Ｒを外すと支柱１２１Ｌ、１２１Ｒの背面には張り出し部が形成されていない。例えば特許文献２のような従来のスタンドでは、後方への転倒を防止するために、スタンドの下端も後方に張り出した形状を有しており、この張り出し部により、スタンドを背面に位置した壁面に寄せることができなかった。しかしながら、本実施形態に係るＬ字スタンド１によれば、脚部１２２Ｌ、１２２Ｒを着脱可能であるため、Ｌ字スタンド１を壁面に寄せて配置することも可能である。従って、Ｌ字スタンド１は、配置空間と更に調和することが可能である。また、メンテナンス時などにおいてＬ字スタンド１の背面にアクセスする必要がある場合には、脚部１２２Ｌ、１２２Ｒを取り付けることにより、後方への転倒を防止することができるため、メンテナンス性も向上させることができる。
【００６４】
また、このＬ字スタンド１は、設置や移動をより容易にして、メンテナンス性を向上させるために、各構成を分解することができる。尚、Ｌ字スタンド１に支持される平板表示装置２やスピーカシステム３は大型化しており、このＬ字スタンド１は、この大型化した電気製品を支持しなおかつ分解可能にするために、連結具を備える。以下では、Ｌ字スタンド１の分解過程を通じて、この連結具について説明する。
【００６５】
まず、図１１に示すように、上記のフロントカバー１２１Ｆは、上部フロントカバー１２１ＦＡと、下部フロントカバー１２１ＦＢとに分解可能である。尚、本実施形態では、上部フロントカバー１２１ＦＡは、支柱１２１Ｌ、１２１Ｒに接続テープ１３１により固定されており、容易に取り外すことができるが、この上部フロントカバー１２１ＦＡと下部フロントカバー１２１ＦＢの固定方法は、この例に限定されるものではない。また、上述したように、ベースカバー１１２も、前方に摺動させて取り外すことができる。
【００６６】
次に、図１２に示すように、下部フロントカバー１２１ＦＢも、支柱１２１Ｌ、１２１Ｒに接続テープ１３１により固定されており、容易に取り外すことができるが、この上部フロントカバー１２１ＦＡと下部フロントカバー１２１ＦＢの固定方法は、この例に限定されるものではない。
【００６７】
更に、図１３に示すように、支柱１２１Ｌ、１２１Ｒは、ベース１１１に対して螺子１３２により連結されており、この螺子１３２を取り外すことにより、図１４に示すように、取り外すことができる。この際、梁１２３Ａ、１２３Ｂも、同様に支柱１２１Ｌ、１２１Ｒに対して螺子により固定されているため、この螺子を外すことにより取り外すことができる。
【００６８】
また、ベース１１１と、支柱１２１Ｌとの間には、連結具１３３Ｌ、１３３Ｒとが配置されている。この連結具１３３Ｒを図１５に示す。尚、連結具１３３Ｌは、連結具１３３Ｒと同様に構成されるため、ここでの詳しい説明は省略する。
【００６９】
連結具１３３Ｒは、水平方向前方に延長形成された水平部１３４と、これと垂直方向に延長形成された垂直部１３５とを有し、側方より見た場合Ｌ字状に形成される。そして、この水平部１３４が、ベース１１１に挿入されて固定されている。つまり、図１４に示すように、連結具１３３Ｒの垂直部１３５は、ベース１１１の上方に突出して配置される。そして、この垂直部１３５が、支柱１２１Ｒの内部に挿入される。また、垂直部１３５には、孔１３６が形成されており、この孔に、螺子１３２が挿入されることにより、支柱１２１Ｒが固定される。
【００７０】
また、この連結具１３３Ｒは、例えばアルミや鉄等の金属で形成され、水平部１３４と垂直部１３５とは一体成型される。つまり、連結具１３３Ｒは、例えば１つの金属材料を切出し加工されることにより成型されたり、例えばダイキャストのような金型鋳造法により成型されることにより、水平部１３４と垂直部１３５とを一体形成されてもよい。また、連結具１３３Ｒは、例えば水平部１３４と垂直部１３５とをそれぞれ別体で形成され、水平部１３４と垂直部１３５とを溶接等により連結されることにより一体に形成されてもよい。
【００７１】
また、垂直部１３５は、図１５に示すように、水平方向の断面形状がＨ字状に形成される。かかる形状に構成することにより、垂直部１３５の強度を維持しつつ、軽量化及び材料の節約を図ることができる。
【００７２】
以上のように、本実施形態に係るＬ字スタンド１は、一旦組み立てた後に容易に各構成を分解することが可能である。尚、一般の平板表示装置を支持するスタンドでは、強度の問題から組立後に分解することはできなかった。しかしながら、本実施形態に係るＬ字スタンド１は、上記構成、特に連結具１３３Ｒ、１３３Ｌを有することにより、強度の問題点を解決し、分解することを可能にしている。また、このように分解することができるため、Ｌ字スタンド１を移動させることが容易になり、メンテナンス性を向上させることができる。
【００７３】
以上、添付図面を参照しながら本発明の好適な実施形態について詳細に説明したが、本発明はかかる例に限定されないことは言うまでもない。本発明の属する技術の分野における通常の知識を有する者であれば、特許請求の範囲に記載された技術的思想の範疇内において、各種の変更例または修正例に想到し得ることは明らかであり、それらについても当然に本発明の技術的範囲に属するものと了解される。
【００７４】
例えば、上記実施形態では、取付具１２４Ｌ、１２４Ｒが複数の孔Ａ１〜Ａ５と孔Ｂとを有し、取付具１２５Ｌ、１２５Ｒがフック１２５４を有することにより、スピーカシステム３を第一位置と第二位置とに固定することを可能にしているが、本発明はかかる例に限定されない。例えば、取付具１２４Ｌ、１２４Ｒが１又は２以上の高さ調整可能な孔を有し、取付具１２５Ｌ、１２５Ｒが第一位置用のフック１２５４と第二位置用の他のフックとを有してもよい。更に、取付具１２４Ｌ、１２４Ｒがフックを有し、取付具１２５Ｌ、１２５Ｒがこれに対応した孔を有してもよい。
【００７５】
また、例えば、上記実施形態では、図９に示したように、螺子１２２１を取り外すことにより、脚部１２２Ｌ、１２２Ｒを取り外すことが可能である場合について説明したが、本発明はかかる例に限定されない。例えば、この脚部１２２Ｌ、１２２Ｒを支柱１２１Ｌ、１２１Ｒに収容可能に構成することもできる。更に、この脚部１２２Ｌ、１２２Ｒをヒンジなどで支柱１２１Ｌ、１２１Ｒに回転可能に固定することも可能である。このように、取り外したり、収容したり、回転させて折り畳んだりすることにより、脚部１２２Ｌ、１２２Ｒを着脱できるので、Ｌ字スタンド１を壁面まで隙間なく寄せて配置することができる。
【図面の簡単な説明】
【００７６】
【図１】本発明の第１実施形態に係るＬ字スタンドを説明するための説明図である。
【図２】同実施形態に係るＬ字スタンドを背面から見て説明するための説明図である。
【図３】同実施形態に係るＬ字スタンドのスピーカシステム支持機構を説明するための説明図である
【図４】同実施形態に係るスピーカシステム支持機構の支柱側の取付具を説明するための説明図である。
【図５】同実施形態に係るスピーカシステム支持機構のスピーカシステム側の取付具を説明するための説明図である。
【図６】同実施形態に係るスピーカシステム支持機構の取付具を説明するための説明図である。
【図７】同実施形態に係るベース部とフロントカバーとについて説明するための説明図である。
【図８】同実施形態に係るベース部とフロントカバーとについて説明するための説明図である。
【図９】同実施形態に係る脚部について説明するための説明図である。
【図１０】同実施形態に係る脚部について説明するための説明図である。
【図１１】同実施形態に係るＬ字スタンドの分解過程を説明するための説明図である。
【図１２】同実施形態に係るＬ字スタンドの分解過程を説明するための説明図である。
【図１３】同実施形態に係るＬ字スタンドの分解過程を説明するための説明図である。
【図１４】同実施形態に係るＬ字スタンドの分解過程を説明するための説明図である。
【図１５】同実施形態に係るＬ字スタンドが有する連結具について説明するための説明図である。
【符号の説明】
【００７７】
１    Ｌ字スタンド
２    平板表示装置
３    スピーカシステム
１１    ベース部
１２    支柱部
１１１    ベース
１１２    ベースカバー
１１２Ａ、１１２Ｂ    配線用孔
１２１Ｌ、１２１Ｒ    支柱
１２１Ｆ    フロントカバー
１２１ＦＡ    上部フロントカバー
１２１ＦＢ    下部フロントカバー
１２２Ｌ、１２２Ｒ    脚部
１２３Ａ、１２３Ｂ    梁
１２４Ｌ、１２４Ｒ    取付具
１２５Ｌ、１２５Ｒ    取付具
１２６    配線用孔
１２７    配線用孔
１２８    コード固定部材
１２９Ｌ、１２９Ｒ    螺子
１３１    接続テープ
１３２    螺子
１３３Ｌ、１３３Ｒ    連結具
１３４    水平部
１３５    垂直部
１３６    孔
１２５１    フック
１２５２    支持板
１２５３    孔
１２５４    フック
１２５５    案内板
１２５６    孔
１２４１    支持板
１２４２    貫通孔
１２４３    連結板
１２４４    支持板
１２４５    孔
Ａ１、Ａ２、Ａ３、Ａ４、Ａ５    孔
Ｂ    孔
１２２１    螺子
１２２２    接続板
１２２３    孔
１２２４    支持板
１２２５    連結板
【図１】
0004582132.tif 000002
【図２】
0004582132.tif 000003
【図３】
0004582132.tif 000004
【図４】
0004582132.tif 000005
【図５】
0004582132.tif 000006
【図６】
0004582132.tif 000007
【図７】
0004582132.tif 000008
【図８】
0004582132.tif 000009
【図９】
0004582132.tif 000010
【図１０】
0004582132.tif 000011
【図１１】
0004582132.tif 000012
【図１２】
0004582132.tif 000013
【図１３】
0004582132.tif 000014
【図１４】
0004582132.tif 000015
【図１５】
0004582132.tif 000016